(57)【要約】【課題】運転中に室内機がサーモオフ状態または停止状態になったときに、サーモオフ状態または停止状態になった室内機に対応する電動膨張弁の初期開度を最適な値に設定できるマルチ形空気調和機を提供する。【解決手段】室内熱交換器５A〜５Dを有する複数の室内機と、室外熱交換器３を有する室外機とを備える。圧縮機１と上記室内熱交換器５A〜５Dと電動膨張弁４A〜４Dと室外熱交換器３で冷媒が循環する冷媒回路を形成する。運転中に、複数の室内機の少なくとも１つが(サーモオフ状態または停止状態)になったとき、サーモオフ状態(または停止状態)になった室内機に対応する電動膨張弁の初期開度を、その室内機の室内熱交換器の仕様の重要な要素(列数と段数および有効長)により定まる熱交換能力に基づいて初期開度設定部１０aにより設定する。【選択図】図１
2007040563.tif 000002
【特許請求の範囲】
【請求項１】
室内熱交換器(５A〜５D)を夫々有する複数の室内機と、室外熱交換器(３)と圧縮機(１)を有する室外機とを備えたマルチ形空気調和機であって、
少なくとも、上記圧縮機(１)と上記室内熱交換器(５A〜５D)と電動膨張弁(４A〜４D)と上記室外熱交換器(３)で冷媒が循環する冷媒回路を形成し、
運転中に、上記複数の室内機の少なくとも１つがサーモオフ状態または停止状態になったとき、上記サーモオフ状態または停止状態になった室内機に対応する上記電動膨張弁の初期開度を、その室内機の室内熱交換器の仕様の重要な要素により定まる熱交換能力に基づいて設定する初期開度設定部(１０a)を備えたことを特徴とするマルチ形空気調和機。
【請求項２】
請求項１に記載のマルチ形空気調和機において、
上記室内熱交換器の仕様の重要な要素は、少なくとも、列数と段数および有効長であることを特徴とするマルチ形空気調和機。
【請求項３】
請求項２に記載のマルチ形空気調和機において、
上記室内熱交換器の仕様の重要な要素は、フィン仕様とフィンピッチおよび冷却管仕様を含むことを特徴とするマルチ形空気調和機。
【発明の詳細な説明】
【技術分野】
【０００１】
この発明は、複数の室内機を備えたマルチ形空気調和機に関する。
【背景技術】
【０００２】
従来、マルチ形空気調和機としては、１つの室外機に複数の室内機が接続され、運転中にサーモオフ状態および停止状態の室内機に対応する電動膨張弁の開度を、その室内機の定格能力の大きさに応じて設定するものがある(例えば、特許第３１９５９９１号(特許文献１)参照)。
【０００３】
ところで、上記マルチ形空気調和機では、サーモオフ状態や停止状態になった室内機は、送風ファンを停止しているので、室内熱交換器で自然対流による熱交換が行われる。このサーモオフ状態や停止状態になったとき、その室内機に対応する電動膨張弁の初期開度を、室内機の定格能力の大きさに応じた一定開度にしている。しかしながら、図３に示すように、室内機の定格能力が同じであっても、室内機の熱交換器仕様によって室内熱交換器の蒸発性能や凝縮性能が異なるため、蒸発性能や凝縮性能に応じた最適な開度を設定できないという問題がある。この場合、運転中にサーモオフ状態や停止状態になった室内機の室内熱交換器に液冷媒が溜まったり、冷媒温度が適正でなくなったりして、十分な運転能力が得られない。
【特許文献１】特許第３１９５９９１号
【発明の開示】
【発明が解決しようとする課題】
【０００４】
そこで、この発明の目的は、運転中に室内機がサーモオフ状態または停止状態になったときに、サーモオフ状態または停止状態になった室内機に対応する電動膨張弁の初期開度を最適な値に設定できるマルチ形空気調和機を提供することにある。
【課題を解決するための手段】
【０００５】
上記目的を達成するため、この発明のマルチ形空気調和機は、
室内熱交換器を夫々有する複数の室内機と、室外熱交換器と圧縮機を有する室外機とを備えたマルチ形空気調和機であって、
少なくとも、上記圧縮機と上記室内熱交換器と電動膨張弁と上記室外熱交換器で冷媒が循環する冷媒回路を形成し、
運転中に、上記複数の室内機の少なくとも１つがサーモオフ状態または停止状態になったとき、上記サーモオフ状態または停止状態になった室内機に対応する上記電動膨張弁の初期開度を、その室内機の室内熱交換器の仕様の重要な要素により定まる熱交換能力に基づいて設定する初期開度設定部を備えたことを特徴とする。
【０００６】
上記構成のマルチ形空気調和機によれば、運転中に、上記複数の室内機の少なくとも１つがサーモオフ状態または停止状態になったとき、初期開度設定部によって、サーモオフ状態または停止状態になった室内機に対応する上記電動膨張弁の初期開度を、その室内機の室内熱交換器の仕様の重要な要素により定まる熱交換能力に基づいて設定する。したがって、運転中に室内機がサーモオフ状態または停止状態になったときに、サーモオフ状態または停止状態になった室内機に対応する電動膨張弁の初期開度を最適な値に設定できる。すなわち、室内機の定格能力が同じであっても蒸発性能や凝縮性能が異なる種々の室内熱交換器に応じた最適な開度を設定できる。
【０００７】
また、一実施形態のマルチ形空気調和機は、上記室内熱交換器の仕様の重要な要素は、少なくとも、列数と段数および有効長であることを特徴とする。
【０００８】
上記実施形態のマルチ形空気調和機によれば、室内熱交換器の仕様の重要な要素のうちの、少なくとも列数と段数および有効長により定まる熱交換能力に基づいて、初期開度設定部は、サーモオフ状態または停止状態になった室内機に対応する電動膨張弁の初期開度を設定するので、室内熱交換器の熱交換能力に応じた最適な初期開度が得られる。
【０００９】
また、一実施形態のマルチ形空気調和機は、上記室内熱交換器の仕様の重要な要素は、フィン仕様とフィンピッチおよび冷却管仕様を含むことを特徴とする。
【００１０】
上記実施形態のマルチ形空気調和機によれば、室内熱交換器の仕様の重要な要素のうちの列数と段数および有効長に加えて、さらにフィン仕様とフィンピッチおよび冷却管仕様より定まる熱交換能力に基づいて、初期開度設定部は、サーモオフ状態または停止状態になった室内機に対応する電動膨張弁の初期開度を設定するので、室内熱交換器の熱交換能力に応じたさらに最適な初期開度が得られる。
【発明の効果】
【００１１】
以上より明らかなように、この発明のマルチ形空気調和機によれば、運転中に室内機がサーモオフ状態または停止状態になったときに、サーモオフ状態または停止状態になった室内機に対応する電動膨張弁の初期開度を最適な値に設定できるマルチ形空気調和機を実現することができる。
【００１２】
また、一実施形態のマルチ形空気調和機によれば、室内熱交換器の仕様の重要な要素のうちの、少なくとも列数と段数および有効長により定まる熱交換能力に基づいて、初期開度設定部により、サーモオフ状態または停止状態になった室内機に対応する電動膨張弁の初期開度を設定することによって、室内熱交換器の熱交換能力に応じた最適な初期開度を得ることができる。
【００１３】
また、一実施形態のマルチ形空気調和機によれば、室内熱交換器の仕様の重要な要素のうちの列数と段数および有効長に加えて、さらにフィン仕様とフィンピッチおよび冷却管仕様より定まる熱交換能力に基づいて、初期開度設定部により、サーモオフ状態または停止状態になった室内機に対応する電動膨張弁の初期開度を設定することによって、室内熱交換器の熱交換能力に応じたさらに最適な初期開度を得ることができる。
【発明を実施するための最良の形態】
【００１４】
以下、この発明のマルチ形空気調和機を図示の実施の形態により詳細に説明する。
【００１５】
図１はこの発明の実施の一形態のマルチ形空気調和機の回路図であり、１は圧縮機、２は上記圧縮機１の吐出側に一端が接続された四路弁、３は上記四路弁２の他端に一端が接続された室外熱交換器、４A〜４Dは上記室外熱交換器３の他端に一端が夫々接続された電動膨張弁、５A〜５Dは上記電動膨張弁４A〜４Dの他端に一端が夫々接続された室内熱交換器、７は上記室内熱交換器５A〜５Dの一端に四路弁２を介して一端が接続され、他端が圧縮機１の吸入側に接続されたアキュムレータである。上記室外熱交換器３の他端と四路弁２との間に閉鎖弁１１を配設すると共に、圧縮機１の吐出側とアキュムレータ８の下流側との間に閉鎖弁１２を配設している。上記圧縮機１,四路弁２,室外熱交換器３,電動膨張弁４A〜４D,室内熱交換器５A〜５Dおよびアキュムレータ６で冷媒回路を構成している。このマルチ形空気調和機は、室内熱交換器５A〜５Dを夫々有する複数の室内機と、圧縮機１と四路弁２と室外熱交換器３と電動膨張弁４A〜４Dおよびアキュムレータ８を有する室外機とを備えている。
【００１６】
また、上記マルチ型空気調和機は、外気温度を検出する外気温度センサ２０と、室外熱交換器３の温度を検出する室外熱交換器用温度センサ２１と、上記室内熱交換器５A〜５Dの温度を夫々検出する室内熱交換器用温度センサ２２A〜２２Dと、上記室内熱交換器５A〜５Dの電動膨張弁４A〜４Dの冷媒温度を検出する温度センサ２３A〜２３Dと、室内温度を検出する室内温度センサ２４A〜２４Dとを備えている。
【００１７】
また、上記マルチ型空気調和機は、室外熱交換器用温度センサ２１や室内熱交換器用温度センサ２２A〜２２Dおよび温度センサ２３A〜２３Dの検出信号に基づいて、圧縮機１や電動膨張弁４A〜４D等を制御する制御装置１０を備えている。上記制御装置１０は、入出力回路とマイクロコンピュータ等からなり、サーモオフ状態または停止状態になった室内機に対応する電動膨張弁の初期開度を設定する初期開度設定部１０aを有している。
【００１８】
上記構成のマルチ型空気調和機において、暖房運転時は、四路弁２を実線の位置に切り換えて、圧縮機１を駆動すると、圧縮機１から吐出された高圧ガス冷媒は、四路弁２を介して室内熱交換器５A〜５Dに夫々流入し、室内空気と熱交換をして凝縮する。そうして、室内熱交換器５A〜５D内で凝縮した液冷媒は、電動膨張弁４A〜４Dにより減圧された後、室外熱交換器３で室外空気と熱交換をして室内を暖房し、室外熱交換器３で蒸発したガス冷媒が、四路弁２とアキュムレータ８とを介して圧縮機１の吸入側に戻る。
【００１９】
一方、冷房運転時は、四路弁２を点線の位置に切り換えて、圧縮機１を駆動すると、圧縮機１から吐出された高圧ガス冷媒は、四路弁２を介して室外熱交換器３に夫々流入し、室内空気と熱交換をして凝縮する。そうして、室外熱交換器３内で凝縮した液冷媒は、電動膨張弁４A〜４Dにより減圧された後、室内熱交換器５A〜５Dで室外空気と熱交換をして室内を冷房し、室内熱交換器５A〜５Dで蒸発したガス冷媒が、四路弁２とアキュムレータ８とを介して圧縮機１の吸入側に戻る。
【００２０】
次に、暖房運転中に室内熱交換器５A〜５Dを有する室内機のうちの１つがサーモオフ状態(または停止状態)になった場合について説明する。
【００２１】
暖房運転中に室内熱交換器５A〜５Dを有する室内機のうちの１つがサーモオフ状態(または停止状態)になると、制御装置１０の初期開度設定部１０aは、そのサーモオフ状態(または停止状態)になった室内機に対応する電動膨張弁(４A〜４D)の初期開度を、その室内機の室内熱交換器の仕様の重要な要素により定まる熱交換能力に基づいて設定する。
【００２２】
上記初期開度設定部１０aは、室内熱交換器の仕様の重要な要素として図２に示す列数と段数および有効長により定まる熱交換能力を用いている。図２では、列数は２列であり、段数は４段である。
【００２３】
なお、制御装置１０の初期開度設定部１０aでは、室内熱交換器の仕様の重要な要素により定まる熱交換能力の情報は、室外機に接続された各室内機から送信される。したがって、例えば、ある部屋の室内機を室内熱交換器の熱交換能力の異なる他の室内機に交換しても、交換後の室内機から送信された熱交換能力の情報を用いることによって、運転中にサーモオフ状態(または停止状態)になった室内機に対応する電動膨張弁の初期開度を最適な値に設定することが可能となる。
【００２４】
次に、運転中にサーモオフ状態(または停止状態)になった室内機に対応する電動膨張弁の初期開度を設定した後、室内熱交換器用温度センサ２２A〜２２Dにより検出された室内熱交換器５A〜５Dの冷媒温度や温度センサ２３A〜２３Dにより検出された冷媒温度などに基づいて、制御装置１０は、サーモオフ状態(または停止状態)になった室内機に対応する電動膨張弁の開度を、フィードバック制御により最適値に調整する。
【００２５】
したがって、運転中にサーモオフ状態(または停止状態)になった室内機に対応する電動膨張弁の初期開度を最適な値に設定することによって、後のフィードバック制御によって電動膨張弁の開度を最適値に調整するまでの時間が早くなるので、常に効率のよい運転が可能となる。
【００２６】
このように、上記マルチ形空気調和機によれば、運転中に、複数の室内機の少なくとも１つがサーモオフ状態(または停止状態)になったとき、初期開度設定部１０aによって、サーモオフ状態(または停止状態)になった室内機に対応する電動膨張弁の初期開度を、その室内機の室内熱交換器の仕様の重要な要素により定まる熱交換能力に基づいて設定するので、運転中に室内機がサーモオフ状態または停止状態になった室内機に対応する電動膨張弁の初期開度を最適な値に設定することができる。
【００２７】
また、室内熱交換器の仕様の重要な要素のうちの列数と段数および有効長により定まる熱交換能力に基づいて、初期開度設定部１０aは、サーモオフ状態(または停止状態)になった室内機に対応する電動膨張弁の初期開度を設定するので、室内熱交換器の熱交換能力に応じた最適な初期開度を得ることができる。
【００２８】
なお、室内熱交換器の仕様の重要な要素として、上記列数と段数および有効長に加えて、フィン仕様(フィンの形状や有効表面積など)とフィンピッチおよび冷却管仕様(管径など)により定まる熱交換能力を用いてもよい。この場合、室内熱交換器の熱交換能力に応じたさらに最適な初期開度を得ることができる。
【００２９】
上記実施の形態では、１つの室外機に４つの室内機が接続されたマルチ形空気調和機について説明したが、マルチ形空気調和機はこれに限らず、２,３または４以上の室内機が接続されたマルチ形空気調和機にこの発明を適用してもよい。
【図面の簡単な説明】
【００３０】
【図１】図１はこの発明の実施の一形態のマルチ形空気調和機の構成図である。
【図２】図２は上記マルチ形空気調和機の室内機の室内熱交換器の模式図である。
【図３】図３は定格能力(能力クラス)が同じでも室内機の熱交換器仕様により熱交換器能力が異なることを示す図である。
【符号の説明】
【００３１】
１…圧縮機
２…四路弁
３…室外熱交換器
４A〜４D…電動膨張弁
５A〜５D…室内熱交換器
７…アキュムレータ
１０…制御部
１０a…初期開度設定部
１１,１２…閉鎖弁
２０…外気温度を検出する外気温度センサ
２１…室外熱交換器用温度センサ
２２A〜２２D…室内熱交換器用温度センサ
２３A〜２３D…温度センサ
２４A〜２４D…室内温度センサ
【図１】
2007040563.tif 000003
【図２】
2007040563.tif 000004
【図３】
2007040563.tif 000005